【事件の表示】
　特許第３３９５１９７号「映像信号記録装置」の請求項１に係る特許に対する特許異議の申立てについて、次のとおり決定する。
【結　論】
　訂正を認める。
　特許第３３９５１９７号の請求項１に係る特許を維持する。
【理　由】
１． 手続の経緯
　特許第３３９５１９７号の請求項１に係る発明は、平成４年２月２０日に特許出願され、平成１５年２月７日にその特許権の設定登録がなされ、その後、小塚浩より特許異議の申立てがなされ、取消しの理由が通知され、その指定期間内である平成１６年７月９日に訂正請求がなされたものである。
　　
２． 訂正の適否についての判断
（１） 訂正の内容
ア． 訂正事項ａ
　特許第３３９５１９７号明細書の請求項１を次のとおり訂正する。
「【請求項１】　レンズと、アイリスと、ＣＣＤイメージセンサとカメラ信号処理回路と、前記レンズの焦点を調整するフォーカス駆動部と、前記アイリスの絞り量を調整するアイリス駆動部と、前記ＣＣＤの読み出し速度を制御するＣＣＤ読み出し制御部とを有して動画と静止画を記録媒体に記録する映像信号記録装置において、
　前記カメラ信号処理回路から出力される輝度信号から特徴抽出を行う特徴抽出回路と、該特徴抽出回路からのデータが供給され、前記フォーカス駆動部、アイリス駆動部並びにＣＣＤ読み出し制御部を制御すると共に自動利得制御処理、ガンマ補正等の信号処理を前記カメラ信号処理回路で行わせるマイクロプロセッサと、前記特徴抽出回路で特徴抽出するエリアを制御することができる動きベクトル検出回路とを有し、
前記マイクロプロセッサは、前記動きベクトル検出回路により検出される動きベクトル量からシャッタ速度を選択することができるものであり、
　前記撮像手段が生成した静止画用映像信号及び動画用映像信号を前記記録媒体に記録する記録手段とを備えることを特徴とする映像信号記録装置。」
イ．訂正事項ｂ
　同書、段落【０００７】の記載を次のとおり訂正する。
「【０００７】
【課題を解決するための手段】
　本発明に係る映像信号記録装置は、レンズと、アイリスと、ＣＣＤイメージセンサとカメラ信号処理回路と、前記レンズの焦点を調整するフォーカス駆動部と、前記アイリスの絞り量を調整するアイリス駆動部と、前記ＣＣＤの読み出し速度を制御するＣＣＤ読み出し制御部とを有して動画と静止画を記録媒体に記録する映像信号記録装置において、前記カメラ信号処理回路から出力される輝度信号から特徴抽出を行う特徴抽出回路と、該特徴抽出回路からのデータが供給され、前記フォーカス駆動部、アイリス駆動部並びにＣＣＤ読み出し制御部を制御すると共に自動利得制御処理、ガンマ補正等の信号処理を前記カメラ信号処理回路で行わせるマイクロプロセッサと、前記特徴抽出回路で特徴抽出するエリアを制御することができる動きベクトル検出回路とを有し、
前記マイクロプロセッサは、前記動きベクトル検出回路により検出される動きベクトル量からシャッタ速度を選択することができるものであり、
　
（２） 訂正の目的の適否、新規事項の有無及び拡張・変更の存否
　上記訂正事項ａは、発明を特定する事項である「マイクロプロセッサ」を「動きベクトル検出回路により検出される動きベクトル量からシャッタ速度を選択することができるものであ」（以下、「技術事項Ａ」という）る点で限定し、しかも、上記技術事項Ａについては、願書に添付された明細書の段落【００２９】に記載されているから、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
　
（３） むすび
　したがって、上記訂正は、特許法第１２０条の４第３項で準用する平成６年法律第１１６号による改正前の特許法第１２６条第１項ただし書、第２項及び第３項の規定に適合するので、当該訂正を認める。
　　
３． 特許異議申立てについての判断
（１） 申立ての理由の概要
　申立人小塚浩は、請求項１に係る発明は、甲第１号証（特開昭５９−１４８４７１公報）、甲第２号証（特開平３−１０２９７７号公報）、甲第３号証（特開平３−７４９８０号公報）をもとに容易に発明をすることができたものであり、特許法第２９条第２項の規定により、特許を受けることができないものであるから、特許を取り消すべきと主張している。
　
（２） 本件の請求項１に係る発明
　上記２．で示したように上記訂正が認められるから、本件の請求項１に係る発明（以下、「本件発明」という）は、上記訂正請求に係る訂正明細書の特許請求の範囲の請求項１に記載された事項（上記２（１）ア参照）により特定されるとおりのものである。
　
（３） 刊行物等
　特許異議申立人が証拠として提示した刊行物は以下のものである。
刊行物１：特開昭５９−１４８４７１公報（甲第１号証）
　これには、静止画撮影と動画撮影の両者を可能とした電子カメラであって、撮影レンズ、瞳位置の絞開閉機構、シャッタ、イメージセンサを有し、スチル撮影が選択されると、スチル露出制御回路及びスチル用記憶装置が使用されるように切り替えられ、ビデオ撮影を選択すると、ビデオ露出制御回路及びビデオ用記憶装置が使用されるように切り替えられる電子カメラについて記載されている。
刊行物２：特開平３−１０２９７７号公報（甲第２号証）
　これには、検出した動きベクトルに基づいて画面内のエリアの抽出を制御する動きベクトル検出回路について記載されている。
刊行物３：特開平３−７４９８０号公報（甲第３号証）
　これには、システムコントロール回路が全体のシステムの制御を行う点が記載されている。
　
（４） 対比・判断
　本件発明と上記刊行物１ないし３に記載の発明とを対比すると、これら刊行物に記載の発明は、本件発明を特定する事項である、「マイクロプロセッサは、前記動きベクトル検出回路により検出される動きベクトル量からシャッタ速度を選択することができるものであ」る事項を備えておらず、当該事項により本件請求項１に係る発明は、一層高質の静止画を得ることができるという顕著な効果を奏するのであり、本件発明が上記刊行物１ないし３に記載のものから容易に発明をすることができたものとはいえない。
　
（５） むすび
　以上のとおりであるから、特許異議申立ての理由及び証拠によっては、本件請求項１に係る特許を取り消すことができない。
　また、他に本件請求項１に係る特許を取り消すべき理由を発見しない。
　したがって、本件請求項１に係る特許は拒絶の査定をしなければならない特許出願に対してされたものと認めない。
　よって、結論のとおり決定する。
【異議決定日】
平成１６年７月１２日（２００４．７．１２）
【訂正の要旨】
審決（決定）の【理由】欄参照。
（５４）【発明の名称】
映像信号記録装置
（５７）【特許請求の範囲】
　【請求項１】　レンズと、アイリスと、ＣＣＤイメージセンサとカメラ信号処理回路と、前記レンズの焦点を調整するフォーカス駆動部と、前記アイリスの絞り量を調整するアイリス駆動部と、前記ＣＣＤの読み出し速度を制御するＣＣＤ読み出し制御部とを有して動画と静止画を記録媒体に記録する映像信号記録装置において、
　前記カメラ信号処理回路から出力される輝度信号から特徴抽出を行う特徴抽出回路と、該特徴抽出回路からのデータが供給され、前記フォーカス駆動部、アイリス駆動部並びにＣＣＤ読み出し制御部を制御すると共に自動利得制御処理、ガンマ補正等の信号処理を前記カメラ信号処理回路で行わせるマイクロプロセッサと、前記特徴抽出回路で特徴抽出するエリアを制御することができる動きベクトル検出回路とを有し、
前記マイクロプロセッサは、前記動きベクトル検出回路により検出される動きベクトル量からシャッタ速度を選択することができるものであり、
　前記撮像手段が生成した静止画用映像信号及び動画用映像信号を前記記録媒体に記録する記録手段とを備えることを特徴とする映像信号記録装置。
【発明の詳細な説明】
　【０００１】
　【産業上の利用分野】本発明は、例えばいわゆる８ｍｍビデオテープレコーダ等で使用される磁気テープのいわゆるＰＣＭオーディオ領域に静止画をディジタル映像信号として記録する映像信号記録装置に関する。
　【０００２】
　【従来の技術】
　映像信号を記録媒体、例えば磁気記録媒体に記録する装置としては、例えば静止画の映像信号、すなわち１フィールドあるいは１フレーム分の映像信号をいわゆるスチルビデオフロッピに記録するいわゆる電子スチルカメラや、例えば動画の映像信号を磁気テープに記録するいわゆるカメラ一体型８ｍｍビデオテープレコーダ（以下カメラ一体型８ｍｍＶＴＲという）等が知られている。
　【０００３】
　例えばカメラ一体型８ミリＶＴＲでは、磁気テープがいわゆる回転ヘッド・ドラムの周囲に２１１度の角度で巻き付けられ、１８０度間隔の一対のヘッド（以下回転ヘッドという）が磁気テープをヘリカル走査することにより、図３に示すように、磁気テープ８０上に斜めのトラック８１が形成される。そして、各トラック８１の回転ヘッド・ドラムの１８０度に相当するビデオ領域８２には、輝度信号がＦＭ変調され、搬送色信号が低周波に変換され、オーディオ信号がＦＭ変調され、トラッキングサーボ用のトラッキング信号、例えばいわゆるＡＴＦ（Ａｕｔｏｍａｔｉｃ　Ｔｒａｃｋ　Ｆｉｎｄｉｎｇ）制御用のパイロット信号と共に周波数多重されて記録されるようになっている。また、各トラック８１の残りの回転ヘッド・ドラムの約３０度に相当するＰＣＭオーディオ領域８３には、非直線量子化されたディジタルオーディオ信号（以下ＰＣＭオーディオ信号という）が、誤り訂正のためのいわゆるクロスインターリーブコード処理を施された後、同期信号、パリティ、ＩＤ等が付加されて記録されるようになっている。また、磁気テープ８０の両側には固定ヘッドがそれぞれ走査することによりキュートラック８４とオーディオトラック８５が形成される。そして、キュートラック８４には例えば録画内容の番地や頭だし等に利用されるキュー信号が記録され、オーディオトラック８５には例えばアフレコ（ａｆｔｅｒ　ｒｅｃｏｒｄｉｎｇ）用のオーディオ信号が記録されるようになっている。
　【０００４】
　ここで、例えば上述の８ｍｍＶＴＲにおいて、ＰＣＭオーディオ領域８３に音声信号だけでなくディジタル化された静止画映像信号の記録再生を行うことが考えられている。すなわち、例えばカメラ一体型のＶＴＲにおいて、通常の記録釦とは別に静止画記録用のシャッタ釦を押すことによって、その時の静止画映像信号がディジタル化されてＰＣＭオーディオ領域８３に記録されるようにする。
　【０００５】
　【発明が解決しようとする課題】
　ところで、例えばカメラ一体型８ｍｍＶＴＲで映像信号を撮影するための撮影条件及び映像信号を処理する条件は、動画の撮影に適するようになっている。具体的には、被写体に焦点を自動的に合わせるオートフォーカス（以下ＡＦという：Ａｕｔｏｍａｔｉｃ　Ｆｏｃｕｓ）、被写体の明るさあるいは光量に応じて光学系の絞りを調整するアイリス制御、露光及びシャッタ速度等の撮影条件と、カメラの入力光の強度とブラウン管の発光強度を比例させるためにブラウン管のガンマ特性（電光変換特性）をカメラ側で補正するガンマ補正、ダイナミックレンジの補正、ＡＧＣ（自動利得制御：Ａｕｔｏｍａｔｉｃ　Ｇａｉｎ　Ｃｏｎｔｒｏｌ）処理等の各種信号処理条件を動画の撮影に適するようにしている。そのため、静止画の撮影は、動画の１コマとして動画の撮影条件及び信号処理で行われることになる。一般に動画の撮影では、シーンのパンニングを見越して撮影条件の時定数を長くしており、上記信号処理も時間軸の方向を見越して処理される。このように、動画の撮影条件及び映像信号処理で静止画を撮影すると、静止画が１フレームあるいは１フィールドの画像であり、ＡＦ、アイリス、シャッタ速度等の撮影条件の時定数が動画程長く必要なく、また、ガンマ補正、ダイナミックレンジの補正、ＡＧＣ処理等の信号処理条件も適切でないため、十分な画質の静止画が得られない。
　【０００６】そこで、本発明は、上述の実情に鑑みてなされたものであり、動画撮影モードと静止画撮影モードとに応じて撮影条件及び映像信号処理条件を切り換え、高質な静止画を得ることのできる映像信号記録装置の提供を目的とする。
　【０００７】
　【課題を解決するための手段】
　本発明に係る映像信号記録装置は、レンズと、アイリスと、ＣＣＤイメージセンサとカメラ信号処理回路と、前記レンズの焦点を調整するフォーカス駆動部と、前記アイリスの絞り量を調整するアイリス駆動部と、前記ＣＣＤの読み出し速度を制御するＣＣＤ読み出し制御部とを有して動画と静止画を記録媒体に記録する映像信号記録装置において、前記カメラ信号処理回路から出力される輝度信号から特徴抽出を行う特徴抽出回路と、該特徴抽出回路からのデータが供給され、前記フォーカス駆動部、アイリス駆動部並びにＣＣＤ読み出し制御部を制御すると共に自動利得制御処理、ガンマ補正等の信号処理を前記カメラ信号処理回路で行わせるマイクロプロセッサと、前記特徴抽出回路で特徴抽出するエリアを制御することができる動きベクトル検出回路とを有し、
前記マイクロプロセッサは、前記動きベクトル検出回路により検出される動きベクトル量からシャッタ速度を選択することができるものであり、
　【０００８】
　ここで、撮影条件とは、例えば、被写体に焦点を自動的に合わせるオートフォーカス（以下ＡＦという：Ａｕｔｏｍａｔｉｃ　Ｆｏｃｕｓ）、被写体の明るさあるいは光量に応じて光学系の絞りを調整するアイリス制御、自動的に露光を行うＡＥ（Ａｕｔｏｍａｔｉｃ　Ｅｘｐｏｓｕｒｅ：自動露光）及びシャッタ速度等をいい、映像信号処理条件とは、例えば、カメラの入力光の強度とブラウン管の発光強度を比例させるためにブラウン管のガンマ特性（電光変換特性）をカメラ側で補正するガンマ補正、ダイナミックレンジの補正、ＡＧＣ（自動利得制御：Ａｕｔｏｍａｔｉｃ　Ｇａｉｎ　Ｃｏｎｔｒｏｌ）処理等をいう。
　【０００９】
　【作用】
　本発明に係る映像信号記録装置は、被写体を撮影するときに用いるレンズの自動フォーカス制御，アイリスの駆動制御，ＣＣＤの読み出し制御によるシャッタ制御に関する条件等の撮影条件、及びその撮影条件で得られた撮像信号に施すガンマ補正，ダイナミックレンジ補正及び自動利得制御に関する条件等の各種補正処理及び利得制御に関する映像信号処理条件を、静止画撮影又は動画撮影モードに基づいてマイクロプロセッサが切り換えて特徴抽出回路で抽出された被写体情報を基に制御を行う。
　【００１０】
　【実施例】
　以下、本発明に係る映像信号記録装置の一実施例を図面を参照しながら説明する。この実施例は、本発明をいわゆるカメラ一体型８ｍｍＶＴＲ（以下単にＶＴＲという）に適用したものであり、図１はこのＶＴＲの回路構成を示すブロック回路図である。
　【００１１】
　本発明に係る映像信号記録装置の一実施例であるＶＴＲは、図１に示すように、被写体を撮影して得た撮像信号をディジタル信号に変換し、例えばガンマ補正やＡＧＣ処理等の信号処理を施すカメラ部１０と、このカメラ部１０を動画と静止画の撮影モード別に制御するカメラ制御部２０と、このカメラ制御部２０が静止画撮影モードに応じて上記カメラ部１０を制御して得られたディジタル映像信号の１フレームあるいは１フィールド分にデータ圧縮処理等の信号処理を施して出力すると共に、静止画の映像信号を再生する静止画映像信号処理部３０と、上記カメラ部１０からの映像信号をアナログ信号に変換して出力すると共に、再生される動画等の映像信号に輪郭補償等の信号処理を施す動画映像信号処理部４０と、この動画映像信号処理部４０からのアナログ映像信号と上記静止画映像信号処理部３０からのディジタル映像信号を時分割多重して磁気テープ１のいわゆるビデオ領域とＰＣＭオーディオ領域にそれぞれ記録すると共に、記録されたこれらの映像信号を再生するヘッド部５０と、上記カメラ制御部２０、静止画映像信号処理部３０、動画映像信号処理部４０等を制御するシステム制御部６０とから構成される。
　【００１２】
　そして、このＶＴＲは、システム制御部６０で設定された動画撮影モードに応じて上記カメラ部１０の撮影条件や映像信号処理条件をカメラ制御部２０が制御し、得られる映像信号をディジタル信号に変換し、信号処理が施された映像信号をアナログ信号に変換して、動画の映像信号として磁気テープ１のビデオ領域に記録すると共に、このビデオ領域に記録した動画の映像信号を再生し、例えばいわゆるＮＴＳＣ方式に準拠した映像信号として出力するようになっている。また、このＶＴＲは、システム制御部６０で設定された静止画撮影モードに応じてカメラ部１０の撮影条件や映像信号処理条件をカメラ制御部２０が制御し、得られた映像信号の１フレームあるいは１フィールド分を、静止画の映像信号として磁気テープ１のＰＣＭオーディオ領域に記録すると共に、このＰＣＭオーディオ領域に記録した静止画の映像信号を再生し、再生した１フレームあるいは１フィールド分の映像信号をＮＴＳＣ方式に準拠した映像信号として繰り返し出力するようになっている。つまり、このＶＴＲは、上記カメラ部１０で映像信号を得る場合、上記システム制御部６０で設定される動画撮影モードと静止画撮影モードとに応じて、例えばＡＦ、アイリス、シャッタ速度等の撮影条件とダイナミックレンジの補正、ガンマ補正、ＡＧＣ処理等の映像信号処理条件を上記カメラ制御部２０で切り換えることにより、例えば静止画を撮影するときには、高質な静止画が得られる。
　【００１３】
　具体的には、上記カメラ部１０は、図１に示すように、レンズ１１と、被写体の明るさあるいは光量に応じて絞り量を調整するアイリス１２と、このアイリス１２を通った光りがレンズ１３を介して照射され、電気信号である映像信号を光りの強さに応じて出力するＣＣＤイメージセンサ（以下ＣＣＤという）１４と、このＣＣＤ１４からの映像信号をディジタル信号に変換するアナログ／ディジタル（以下Ａ／Ｄという）変換器１５と、該Ａ／Ｄ変換器１５からのディジタル映像信号に例えばガンマ補正、ＡＧＣ等の各種の信号処理を施すカメラ信号処理回路１６とから構成される。
　【００１４】
　また、上記カメラ制御部２０は、同じく図１に示すように、上記システム制御部６０で設定される動画撮影モードと静止画撮影モードとに応じて、上記カメラ部１０のレンズ１１の焦点を自動的に調整するＡＦ駆動部２１と、上記アイリス１２の絞り量を調整するアイリス駆動部２２と、上記ＣＣＤ１４の読み出し速度を制御するＣＣＤ読みだし制御部２３と、上記カメラ信号処理回路１６から出力される輝度信号からＡＦ及びＡＥ用の特徴抽出を行う特徴抽出回路２４と、この特徴抽出回路２４からのデータが供給され、このデータを基に上記ＡＦ駆動部２１、アイリス駆動部２２、ＣＣＤ読みだし制御部２３等を制御するマイクロプロセッサ（以下ＭＰＵ）２５と、上記特徴抽出回路２４で特徴抽出するエリアを制御することができる動きベクトル検出回路２６とから構成される。
　【００１５】
　また、上記動画映像信号処理部４０は、同じく図１に示すように、上記静止画映像信号処理部３０あるいはヘッド部５０からの映像信号を記憶するビデオＲＡＭ４２と、上記カメラ部１０からの映像信号に記録に適した信号処理を施して動画データを形成し、この動画データを上記ヘッド部５０に供給すると共に、上記ビデオＲＡＭ４２から読み出された映像信号に輪郭補償等の各種の信号処理を施した後、例えばＮＴＳＣ方式に準拠した映像信号に変換する映像信号処理回路４１と、この映像信号処理回路４１から供給されるＮＴＳＣ方式に準拠した映像信号（ディジタル信号）をアナログ信号に変換し、端子４６を介して例えばモニタ受像機等に送出するディジタル／アナログ（以下Ｄ／Ａという）変換器４３と、上記映像信号処理回路４１からの動画データをアナログ信号に変換して上記ヘッド部５０に供給するＤ／Ａ変換器４４と、上記ヘッド部５０で再生される映像信号（アナログ信号）をディジタル信号に変換し、動画データとして上記映像信号処理回路４１に供給するＡ／Ｄ変換器４５とから構成される。
　【００１６】
　また、上記静止画映像信号処理部３０は、同じく図１に示すように、上記カメラ部１０からのディジタル映像信号を記憶するビデオＲＡＭ３２と、このビデオＲＡＭ３２からのディジタル映像信号が供給されて、該ディジタル映像信号の１フレームあるいは１フィールド分に所定のデータ圧縮処理を施して圧縮データを形成し、また逆に、圧縮データにデータ伸長処理を施して映像信号を再生する静止画映像信号処理回路３１と、この静止画映像信号処理回路３１からの圧縮データに同期信号、エラー訂正符号等を付加して、静止画データを形成し上記ヘッド部５０に供給すると共に、上記ヘッド部５０からの静止画データにエラー訂正処理を施して圧縮データ等を再生し、この圧縮データ等をＲＡＭ３４に供給するＰＣＭ処理回路３３とから構成される。
　【００１７】
　また、上記ヘッド部５０は、同じく図１に示すように、上記動画映像信号処理部４０からのアナログ映像信号と上記静止画映像信号処理部３０からの静止画データを時分割多重すると共に、再生ＲＦ信号から動画のアナログ映像信号と静止画データを再生して、上記動画映像信号処理部４０、静止画映像信号処理部３０にそれぞれ供給するＭＵＸ５１と、このＭＵＸ５１からの時分割多重された記録信号を増幅する増幅器５３と、再生ＲＦ信号を増幅する増幅器５４と、上記増幅器５３と増幅器５４を記録時と再生時で切り換える切り換えスイッチ５２と、上記増幅器５３からの励磁電流に基づいて上記磁気テープ１に信号を記録すると共に、再生ＲＦ信号を再生して上記増幅器５４に供給する回転ヘッド５５とから構成される。
　【００１８】
　また、上記システム制御部６０は、同じく図１に示すように、このＶＴＲの動作モード、例えば動画の映像信号を記録する動画撮像モード、静止画の映像信号を記録する静止画撮像モード等の各種の動作モードを設定する機能制御回路６１と、この機能制御回路６１からの設定されたモードに応じて上記カメラ制御部２０のＭＰＵ２５及び動きベクトル検出回路２６を制御するシステムコントローラ６２と、このシステムコントローラ６２の制御のもとに上記ビデオＲＡＭ３２及び４２のアドレスを制御するメモリコントローラ６３とから構成される。
　【００１９】
　また、上記磁気テープ１は、例えば上述の図３に示す磁気テープ８０と同様のテープフォーマットを有するものである。すなわち、上記回転ヘッド５５のヘリカル走査により上記磁気テープ１上に斜めに形成されるトラックがビデオ領域とＰＣＭオーディオ領域に分割され、ビデオ領域に動画がアナログ映像信号として記録され、ＰＣＭオーディオ領域に静止画がディジタル映像信号として記録されるようになっている。
　【００２０】
　次に、このＶＴＲを構成する各部の動作を説明する。先ず、上記カメラ部１０は、上記システム制御部６０で設定された撮影モード（動画撮影モードあるいは静止画撮影モード）に応じ、上記カメラ制御部２０が切り換えた撮影条件及び映像信号処理条件により被写体を撮影し、撮影により得た映像信号を信号処理し、信号処理により得たディジタル映像信号を動画映像信号処理部４０あるいは静止画映像信号処理部３０に供給する。
　【００２１】
　上記カメラ制御部２０は、上記システム制御部６０で設定される動画撮影モードと静止画撮影モードとに応じて、上記カメラ部１０のＡＦ、ＡＥ、アイリス、映像信号の読み出し速度等の撮影条件とガンマ補正、ダイナミックレンジの補正、ＡＧＣ処理等の映像信号処理条件とを制御する。
　【００２２】
　上記動画映像信号処理部４０は、上記カメラ信号処理回路１６からの映像信号の輝度信号を所定の搬送波によってＦＭ変調し、搬送色信号を低周波に変換した後、周波数多重して動画データを形成し、この動画データを上記ヘッド部５０に供給すると共に、ヘッド部５０あるいは静止画映像信号処理部３０からの映像信号に各種の信号処理を施した後、例えばＮＴＳＣ方式に準拠したアナログ映像信号に変換して出力する。
　【００２３】
　上記静止画映像信号処理部３０は、上記カメラ部１０からの映像信号の１フレームあるいは１フィールド分に、所定のデータ圧縮、例えばいわゆる適応型ダイナミックレンジ符号化（ＡＤＲＣ：Ａｄａｐｔｉｖｅ　Ｄｙｎａｍｉｃｓ　Ｒａｎｇｅ　Ｃｏｄｉｎｇ）やいわゆるサブサンプリング（Ｓｕｂ　Ｓａｍｐｌｉｎｇ）、離散余弦変換（ＤＣＴ：Ｄｉｓｃｒｅｔｅ　Ｃｏｓｉｎｅ　Ｔｒａｎｓｆｏｒｍ）等のデータ圧縮処理を施すと共に、同期信号、エラー訂正符号等を付加して、ヘッド部５０に供給し、磁気テープ１上のＰＣＭオーディオ領域に記録する。また、逆にヘッド部５０で再生される静止画データにデータ伸長処理等の信号処理を施して、得られる静止画の映像信号をビデオＲＡＭ４２に供給するようになっている。
　【００２４】
　上記ヘッド部５０は、Ｄ／Ａ変換器４４からのアナログ映像信号とＰＣＭ処理回路３３からのディジタル映像信号（静止画データ）を時分割多重して磁気テープ１のビデオ領域とＰＣＭオーディオ領域にそれぞれ記録すると共に、動画のアナログ映像信号と静止画データを再生して、Ａ／Ｄ変換器４５、ＰＣＭ処理回路３３にそれぞれ供給する。
　【００２５】
　上記システム制御部６０は、例えば、撮影者が機能制御回路６１において設定する動画の映像信号を撮影する動画撮像モード、静止画の映像信号を撮影する静止画撮像モードに応じて上記カメラ制御部２０を制御し、撮影条件及び映像信号処理条件を切り換える。そして、例えば、静止画撮像モードが設定されると、シャッタを操作する毎に、端子６４を介して送られてくるシャッタ信号を検出し、カメラ部１０で被写体を撮影して得られる映像信号の１フレームあるいは１フィールド分を静止画の映像信号として、磁気テープ１のＰＣＭオーディ領域に記録する。
　【００２６】
　ここで、このＶＴＲの動作を上記カメラ制御部２０の制御動作を中心に詳しく説明する。先ず、カメラ部１０のレンズ１１を通して収光された光りは、アイリス１２で光量を制御され、ＣＣＤ１４で電気信号に変換される。この電気信号（以下映像信号という）は、Ａ／Ｄ変換器１５でディジタル映像信号に変換された後、カメラ信号処理回路１６に供給される。このカメラ信号処理回路１６は、ディジタル映像信号を輝度成分と色差成分に変換し、一方を動画映像信号処理部４０の映像信号処理回路４１へ供給し、他方をカメラ制御部２０の特徴抽出回路２４へ供給する。この特徴抽出回路２４は、ＡＦ、ＡＥを制御するためのフィルタである。この特徴抽出回路２４のフィルタリングは、例えばＡＦ用では、画面のエッジまたは特定の成分を抽出し、例えばＡＥ用では、画面内での輝度信号のレベルの平均を計算したり、任意のレベル以上または以下の信号が全体に対してどの程度あるかを測定するものである。この特徴抽出回路２４でフィルタリングされた信号を基に、ＭＰＵ２５では、特定のアルゴリズムに基づき、例えばＡＥの場合、最適な露光状態にすべく、アイリス１２の絞り量、ＡＧＣ信号処理、フィルタのウィンドウ、重みづけを制御する。また、ＡＦの場合、フォーカスが合うように、レンズ位置の制御、フィルタの重みづけを制御する。この際、動きベクトル検出回路２６からの動き量を基に特徴抽出回路２４での抽出エリアを高速、適切に制御できる。
　【００２７】
　次に、このＶＴＲにおいて、静止画を記録するべくモードを切り換えてから磁気テープのＰＣＭエリアに静止画が記録されるまでの動作を上記図１と図２とを用いて説明する。図２は、静止画撮影モードが制御部で設定された場合の動作例を示す図である。
　【００２８】
　例えば、利用者が時間ｔａのタイミングで静止画撮影モードの設定を行うべくモード釦９１を押圧すると、上記システムコントローラ６２は、その設定に対応する制御信号を検出して上記カメラ制御部２０を静止画の撮影モードで時間ｔｂから動作させるように制御する。すると、フィールドＦｎとなる時間ｔｂのタイミングで動画撮影モードから静止画撮影モードに切り換わり、画像特徴抽出、測光、動きベクトルの検出等が開始される。そして、フィールドＦｎ＋１が始まる時間ｔｃのタイミングから、前フィールドＦｎで行われた測光、動きベクトルの検出等の結果を受けて、アイリス制御、ＡＧＣ制御、電子シャッタ制御が開始される。また、このフィールドＦｎ＋１では、露光も行われており、ガンマ補正を行う際のガンマカーブ（特性）の選択も行われる。ここで、時間ｔｄのタイミングでシャッタ釦９２が押圧されたとすると、次のフィールドＦｎ＋２が始まる時間ｔｅから、上記フィールドＦｎ＋１で行われたカメラ制御、カメラ信号処理から得られた静止画映像信号が映像ＲＡＭ３２に記録される。そして、フィールドＦｎ＋２が終了すると時間ｔｆから磁気テープ１上のＰＣＭ領域に静止画が記録される。
　【００２９】
　具体的には、静止画撮影時には、システムコントローラ６２から静止画撮影モードであることがカメラ制御部２０のＭＰＵ２５に伝えられる。このＭＰＵ２５は、ＡＦ／ＡＥ用の特徴抽出回路２４で抽出された被写体情報から、該フィールドあるいはフレームの映像が最適なダイナミックレンジとなる様に上記ＡＦ駆動部２１、アイリス駆動部２２を制御し、またＡＧＣ処理、ガンマ補正等の信号処理を上記カメラ信号処理部１６で該映像に適するように行わせる。また、上記ＭＰＵ２５は、動きベクトル検出回路２６により検出される動きベクトル量からシャッタ速度を選択することができ、上記ＣＣＤ読みだし制御部２３の読みだし速度を制御できる。このようにして得られた静止画映像信号をメモリコントローラ６３の制御により、ビデオＲＡＭ３２に記録する。そして、この静止画は、上記機能制御部６１で設定される動作モードによっては、上記静止画映像信号処理部３０で帯域圧縮され、ＰＣＭ処理回路３４でＩＤ情報等が加えられ、静止画データとされてＭＵＸ５１〜増幅器５３を介して回転ヘッド４５に供給される。
　【００３０】
　このとき、システムコントローラ６２は、回転ヘッド５５への静止画データの供給に同期して、磁気テープ１が走行を開始するように図示しない走行系を制御する。そして、システムコントローラ６２は、記録を開始してから例えば数秒後に磁気テープ１の走行を停止する制御を行う。この結果、磁気テープ１のＰＣＭオーディオ領域の数十〜数百トラック（データ圧縮率に依存する）に、静止画がディジタル映像信号として記録される。
　【００３１】
　以上により、本発明に係る映像信号記録装置の一実施例が適用されるＶＴＲは、静止画撮影時と動画撮影時とで撮影条件と信号処理とを分けることができ、静止画撮影モードに対応した撮影条件及び信号処理条件で高質の静止画を撮影することができる。
　【００３２】
　なお、本発明は、上述の実施例に限定されるものではなく、例えば、磁気テープの厚み方向に記録領域を分割したいわゆる深層記録方式を採用し、アナログ映像信号とディジタル信号をこれらの領域にそれぞれ記録可能なビデオテープレコーダ等に本発明を適用できることは言うまでもない。
　【００３３】
　【発明の効果】
　本発明に係る映像信号記録装置は、被写体を撮影するときに用いるレンズの自動フォーカス制御，アイリスの駆動制御，ＣＣＤの読み出し制御によるシャッタ制御に関する条件等の撮影条件、及びその撮影条件で得られた撮像信号に施すガンマ補正，ダイナミックレンジ補正及び自動利得制御に関する条件等の各種補正処理及び利得制御に関する映像信号処理条件を、静止画撮影又は動画撮影モードに基づいてマイクロプロセッサが切り換えて特徴抽出回路で抽出された被写体情報を基に制御を行うので、それぞれの撮影モードに適したカメラ制御、カメラ信号処理を行うことができ、特に静止画撮影時には、高質の静止画を得ることができる。
【図面の簡単な説明】
　【図１】
　本発明に係る映像信号記録装置を適用したカメラ一体型８ｍｍＶＴＲの回路構成を示すブロック回路図である。
　【図２】
　本発明に係る映像信号記録装置を適用したカメラ一体型８ｍｍＶＴＲの静止画撮影モードでの動作を説明するための図である。
　【図３】
　８ｍｍビデオテープレコーダで用いられる磁気テープのテープフォーマットを示す図である。
　【符号の説明】
　１・・・・・磁気テープ
　１０・・・・カメラ部
　１６・・・・カメラ信号処理回路
　２０・・・・カメラ制御部
　２４・・・・特徴抽出回路
　２５・・・・マイクロプロセッサ（ＭＰＵ）
　２６・・・・動き検出回路
　３０・・・・静止画映像信号処理部
　４０・・・・動画映像信号処理部
　５０・・・・ヘッド部
　６０・・・・システム制御部